(57)【要約】【課題】  筐体に備えられた通気口の開閉機構が簡易な電子機器を提供する。【解決手段】  筐体の内部に電気部品を有する電子機器において、筐体が、筐体内部換気用の通気口を有するものであって、各一端が互いに連結され各他端が筐体内部に固定された、自然長が温度によって遷移する第１のバネおよび温度に因らず略同一の自然長を持つ第２のバネからなる連結バネと、連結バネの、第１のバネと第２のバネとの連結部に設けられた、通気口を開閉する通気口蓋とを備え、連結バネは、第１のバネの自然長が温度で遷移することにより、通気口蓋を、所定の温度以上で通気口を開放し所定温度未満で閉鎖するように移動させるものである。【選択図】        図２
2007005548.tif 000002
【特許請求の範囲】
【請求項１】
筐体の内部に電気部品を有する電子機器において、
前記筐体が、該筐体内部換気用の通気口を有するものであって、
各一端が互いに連結され各他端が前記筐体内部に固定された、自然長が温度によって遷移する第１のバネおよび温度に因らず略同一の自然長を持つ第２のバネからなる連結バネと、
前記連結バネの、前記第１のバネと前記第２のバネとの連結部に設けられた、前記通気口を開閉する通気口蓋とを備え、
前記連結バネは、前記第１のバネの自然長が温度で遷移することにより、前記通気口蓋を、所定の温度以上で前記通気口を開放し該所定温度未満で閉鎖するように移動させるものであることを特徴とする電子機器。
【請求項２】
前記筐体が、前記通気口を上面に有するものであることを特徴とする請求項１記載の電子機器。
【発明の詳細な説明】
【技術分野】
【０００１】
本発明は、筐体の内部に電気部品を有する電子機器に関する。
【背景技術】
【０００２】
近年、カメラ機能の高機能化やカメラの外径寸法の益々の小型化により、カメラ内部の機器が、内部温度の上昇によりダメージを受ける可能性は従来よりも高まってきている。
【０００３】
そこで、カメラ内の温度上昇によりカメラ内部の機器がダメージを受けないように、モータの回転駆動力をギアを介して受けたアームを回動させることで、換気のための通気口を開閉する提案がなされている（特許文献１参照）。
【特許文献１】特開平８−２８６２５０号公報
【発明の開示】
【発明が解決しようとする課題】
【０００４】
ところが、上記提案の通気口の開閉機構は、構造が複雑であるという問題がある。
【０００５】
尚、上記問題は、カメラに限って発生するものではなく、発熱する電気部品が内部に備された電子機器においては同様に発生しうる問題である。
【０００６】
本発明は、上記事情に鑑み、筐体に備えられた通気口の開閉機構が簡易な電子機器を提供することを目的とする。
【課題を解決するための手段】
【０００７】
上記目的を達成するための本発明の電子機器は、
筐体の内部に電気部品を有する電子機器において、
上記筐体が、この筐体内部換気用の通気口を有するものであって、
各一端が互いに連結され各他端が上記筐体内部に固定された、自然長が温度によって遷移する第１のバネおよび温度に因らず略同一の自然長を持つ第２のバネからなる連結バネと、
上記連結バネの、上記第１のバネと上記第２のバネとの連結部に設けられた、上記通気口を開閉する通気口蓋とを備え、
上記連結バネは、上記第１のバネの自然長が温度で遷移することにより、上記通気口蓋を、所定の温度以上で上記通気口を開放しこの所定温度未満で閉鎖するように移動させるものであることを特徴とする。
【０００８】
本発明の電子機器では、筐体に備えられている通気口を開閉する通気口蓋を、温度により自然長が遷移する第１のバネと自然長が温度に因らず略同一の第２のバネとの連結部に設けることで、連結部がバランスする位置を温度によって変化させることができる。したがって、本発明の電子機器によれば、この連結部に通気口蓋を設けることにより、通気口の開閉機構を簡易に実現することができる。
【０００９】
ここで、上記筐体が、上記通気口を上面に有するものであることが好ましい。
【００１０】
通気口を上面に有すると、効果的に筐体内部の換気を行うことができる。
【発明の効果】
【００１１】
本発明の電子機器によれば、筐体に備えられた通気口の開閉機構を簡易にすることができる。
【発明を実施するための最良の形態】
【００１２】
以下、本発明の電子機器の実施形態について説明する。
【００１３】
図１は、本発明の電子機器の一実施形態であるカメラの概観斜視図である。
【００１４】
図１に示すカメラ１は、ズーム時にレンズ鏡胴１００が伸縮するタイプのコンパクトカメラであり、図１には、レンズ鏡胴１００が突出した状態が示されている。
【００１５】
図１に示すカメラ１の筐体１０の上面には、筐体内部の換気用の通気口１０ａが設けられており、図１には、この通気口１０ａが通気口蓋１２によって閉鎖されている様子が示されている。尚、図１には、筐体１０の上面の、通気口１０ａの反対側にシャッタボタン１１が設けられている様子も示されている。
【００１６】
また、図１には、カメラ１の筐体１０の下面の、上面の通気口１０ａと対向する位置に通気口１０ｂが設けられている様子が示されている。
【００１７】
図２は、図１に示す断面Ｘ−Ｘ’についてのカメラの断面図である。
【００１８】
図２には、筐体１０の上面および下面に、互いに対向して設けられた通気口１０ａ、１０ｂが示されており、図２（ａ）には、これら双方の通気口１０ａ、１０ｂが通気口蓋１２によって閉鎖された、筐体内の温度が室温である場合が示され、図２（ｂ）には、これら双方の通気口１０ａ、１０ｂが開放されて換気が可能となった、筐体内の温度が９０℃である場合が示されている。
【００１９】
また、図２には、この筐体１０の内部に、各一端が互いに連絡され各他端が筐体内部に固定された、自然長が温度によって遷移する形状記憶バネ１３ａおよび温度に因らず略同一の自然長を持つステンレスバネ１３ｂからなる連結バネ１３が示されている。
【００２０】
ここで、図２に示す通気口蓋１２は、この連結バネ１３の、形状記憶合金バネ１３ａとステンレスバネ１３ｂの連結部１３ｃに取りつけられており、このカメラ１では、図２に示す筐体内部に備えられている電気基板１４から発生した熱により筐体内部の温度が上昇すると、連結部１３ｃは図２（ｂ）に示す位置に移動する。これにより、通気口１０ａ、１０ｂは開放され、筐体内部の熱気は、特に上面側から筐体外部に効率的に放出できるため、筐体内部の電気基板１４を効果的に保護することができる。一方、筐体内部の温度が下がると、図２（ａ）に示すように、通気口１０ａ、１０ｂは通気口蓋１２により閉鎖されるため、この通気口１０ａ、１０ｂから筐体内部への埃等の進入を防御することができる。
【００２１】
図３は、図２に示す形状記憶合金バネとステンレスバネの特性をそれぞれ示す図である。尚、以下では、図２に示す連結バネ１３は、形状記憶バネ１３ａとステンレスバネ１３ｂそれぞれの撓みが併せて５０ｍｍとなるように筐体内に挟み込まれているとして話を進める。
【００２２】
図３には、連結バネ１３の連結部１３ｃの、形状記憶バネ１３ａが自然長となる位置からの図２における左側への変位量に応じた、形状記憶バネ１３ａおよびステンレスバネ１３ｂそれぞれへの荷重が示されており、形状記憶バネ１３ａについては、筐体内の温度が室温の場合と９０℃の場合との双方が示されている。
【００２３】
ここで、図３からは、前述したように、形状記憶バネ１３ａおよびステンレスバネ１３ｂそれぞれの撓みが併せて５０ｍｍとなるようにされていることから、形状記憶バネ１３ａの変位量を５０ｍmとした場合には、ステンレスバネ１３ｂの撓みはゼロ、即ち荷重がゼロとなり、ステンレスバネ１３ｂの長さが自然長となることが読みとれる。
【００２４】
また、図３からは、筐体内の温度が室温の場合には、形状記憶バネ１３ａがこの温度下で自然長となる位置から図２（ａ）における左側にＢｍｍ変位した位置で連結部１３ｃはバランスする、即ち静止することが読みとれ、温度が９０℃の場合には、形状記憶バネ１３ａがこの温度下で自然長となる位置から図２（ａ）における左側にＡｍｍ変位した位置で連結部１３ｃが静止することが読みとれる。
【００２５】
つまり、このカメラ１では、筐体内部の、室温から９０℃までの間の温度変化によって、それぞれの温度における形状記憶バネの自然長となるそれぞれの位置から、ＡｍｍからＢｍｍの範囲で連結部１３ｃの静止位置が変化する。具体的には、このカメラ１では、温度が高い場合の方が低い場合よりも自然長が長い形状記憶バネ１３ａを採用していることで、温度上昇と共に連結部１３ｃの静止位置を図２（ａ）における左側から右側に移動させることができ、また、温度の低下と共に連結部１３ｃの静止位置を図２（ａ）における右側から左側に移動させることができる。したがって、本実施形態のカメラ１によれば、連結部１３ｃに図２に示すような形状の通気口蓋１２を設けていることで、通気口１０ａ、１０ｂを開閉する機構を簡易に実現することができる。
【００２６】
以上に説明した実施形態では、カメラ１を例に挙げて説明したが、本発明は、内部に電気部品を有する電子機器であればこれに限るものではなく、また、本実施形態では、通気口の位置を筐体上面および下面に設けられている場合を例に挙げたが、本発明はこれに限るものではなく、通気口が下面だけあるいは側面だけに備えられたものであってもよい。
【図面の簡単な説明】
【００２７】
【図１】本発明の電子機器の一実施形態であるカメラの概観斜視図である。
【図２】図１に示す断面Ｘ−Ｘ’についてのカメラの断面図である。
【図３】図２に示す形状記憶合金バネとステンレスバネの特性をそれぞれ示す図である。
【符号の説明】
【００２８】
１  カメラ
１０  筐体
１０ａ、１０ｂ  通気口
１２  通気口蓋
１３  連結バネ
１３ａ  形状記憶バネ
１３ｂ  ステンレスバネ
１３ｃ  連結部
１４  電気基板
【図１】
2007005548.tif 000003
【図２】
2007005548.tif 000004
【図３】
2007005548.tif 000005